(57)【特許請求の範囲】
【請求項１】
上部に食器の洗浄室を備え、下部に機械室を備え、この機械室のベース下部には脚部を備え、更に、前記洗浄室には食器投入用の対向する一対の開口部を備え、この開口部には開閉扉を備えた食器洗浄機において、
前記機械室にすすぎ水タンク及び洗浄水タンクを備え、前記洗浄水タンクの底部と前記機械室のベースとの間に食器の両投入方向に貫通した空間を備え、前記空間内に前記すすぎ水タンクへの給水管の接続口、及び洗浄水タンクからの排水管の接続口を配設し、これら給水管の接続口、及び排水管の接続口に接続される給水管及び排水管を、食器の両投入方向に導出可能に構成したことを特徴とする食器洗浄機。
【発明の詳細な説明】
【０００１】
【発明の属する技術分野】
本発明は、すすぎ水タンク及び洗浄水タンクを備えた食器洗浄機に関する。
【０００２】
【従来の技術】
一般に、すすぎ水タンク及び洗浄水タンクを備え、給水は、すすぎ水タンクに行い、洗浄水タンクには、洗浄室に噴射されたすずき水を回収し、排水は、この洗浄水タンクを通じて行う食器洗浄機が知られている。
【０００３】
この種の食器洗浄機では、図４、及び図５に示すように、上部に食器の洗浄室７１を備え、下部に機械室７２を備え、この機械室７２のベース下部には脚部７３を備えて構成されている。また、従来の構成では、機械室７２にすすぎ水タンク７５及び洗浄水タンク７６を備え、これらすすぎ水タンク７５への給水管接続口７５ａ及び洗浄水タンク７６からの排水管接続口７６ａは、機械室７２のベース下部に配設されている。
【０００４】
【発明が解決しようとする課題】
しかしながら、給水管接続口７５ａ及び洗浄水タンク７６を機械室１０のベース下部に配設したものでは、位置が低くなりすぎて、配管の接続作業が困難になるという問題がある。また、従来の構成では、機械室１０のベース下部に余分な配管類が突出するので、床の清掃が困難になるという問題がある。
【０００５】
そこで、本発明の目的は、上述した従来技術が有する課題を解消し、配管の接続作業の容易化が図れ、機械室のベース下部に余分な配管類が突出せず、床の清掃の容易化が図れる、食器洗浄機を提供することにある。
【０００６】
【課題を解決するための手段】
請求項１記載の発明は、上部に食器の洗浄室を備え、下部に機械室を備え、この機械室のベース下部には脚部を備え、更に、前記洗浄室には食器投入用の対向する一対の開口部を備え、この開口部には開閉扉を備えた食器洗浄機において、前記機械室にすすぎ水タンク及び洗浄水タンクを備え、前記洗浄水タンクの底部と前記機械室のベースとの間に食器の両投入方向に貫通した空間を備え、前記空間内に前記すすぎ水タンクへの給水管の接続口、及び洗浄水タンクからの排水管の接続口を配設し、これら給水管の接続口、及び排水管の接続口に接続される給水管及び排水管を、食器の両投入方向に導出可能に構成したことを特徴とするものである。
【０００８】
【発明の実施の形態】
以下、本発明の一実施形態を図面に基づいて説明する。
【０００９】
図１において、１は食器洗浄機を示している。この食器洗浄機１は外箱３を有しており、この外箱３は略半円筒状に形成された天板５と、外箱３の外周部上に対向して設けられる食器挿入用の開口に設けられた一対の開閉扉７と、機械室１０とを含んで構成されている。９は開閉扉の取手である。
【００１０】
外箱３の下部の機械室１０には、外箱３内に位置するノズルに洗浄水を供給する洗浄水タンク１１、洗浄水ポンプ１２等から構成される洗浄装置１５、及びノズルにすすぎ水を供給するすすぎ水タンク１３、すすぎ水ポンプ１４等からなるすすぎ装置１６等が格納されている。
【００１１】
洗浄装置１５からは太いパイプ１９が延出し、このパイプ１９は略コ字状を呈しており、外箱３の壁面に沿って洗浄室１７内に延在している。このパイプ１９の上端１９ａ、及び下端１９ｂは曲げられ、洗浄室１７のほぼ中央に延出して上下に対向し、この上端１９ａには上洗浄ノズル２１、及び上すすぎノズル２２が回転自在に取り付けられ、下端１９ｂには下洗浄ノズル２３、及び下すすぎノズル２４が回転自在に取り付けられている。
【００１２】
前記した開閉扉７は、図１に示すように、外箱３の両側２個の開口に、それぞれ上下動自在に設けられ、それぞれの開閉扉７が取手９を掴んで上下移動（矢印Ａ方向への移動）により開閉される。
【００１３】
それぞれの開閉扉７の下端には、ホルダ３５が固定され、このホルダ３５とパイプ１９の上部に固定された部材３４との間には、コイルスプリング３３が張設されている。また、一方の開閉扉７Ａの上端両側には左右一対のストッパ３７が設けられ、このストッパ３７の先端には衝撃吸収部材３７ａが設けられ、他方の開閉扉７Ｂが全開にされた場合には、コイルスプリング３３が収縮すると共に、一方の開閉扉７Ａの衝撃吸収部材３７ａに当接して当該開閉扉７Ｂの開放が停止される。なお、当該開閉扉７Ｂを閉じた状態で、一方の開閉扉７Ａを開く場合、この開閉扉７Ａに設けた衝撃吸収部材３７ａが、他方の開閉扉７Ｂに衝突してストッパ機能を果たすことはいうまでもない。
【００１４】
この実施形態では、すすぎ水タンク１３に、水道管（図示せず）に接続された給水管５１が接続されている。この給水管５１を通じての給水は、すすぎ水タンク１３に対して行われる。洗浄水タンク１１への給水は、すすぎ水タンク１３からのすすぎ水を洗浄室１７に噴射した後、タンクフィルタ４１を通して、このすすぎ水を洗浄水タンク１１に回収することにより行われる。この洗浄水タンク１１への給水動作を、以下、給湯運転という。
【００１５】
食器の洗浄運転が実行される場合、まず、開閉扉７が開閉され、洗浄室１７内に汚れた食器が投入される。ついで、洗浄水ポンプ１２が運転され、洗浄水タンク１１からの洗浄水が、パイプ１９ａ、１９、１９ｂを通じて、実線で示すように、上下洗浄ノズル２１，２３に供給され、ここから洗浄室１７に噴射されて食器が洗浄される（洗浄工程）。その後、すすぎ水ポンプ１４が運転され、すすぎ水タンク１３からのすすぎ水が、細い管路３８を通じて、点線で示すように、上下すすぎノズル２２，２４に供給され、ここから洗浄室１７に噴射されて食器がすすぎ洗いされる（すすぎ工程）。
【００１６】
この洗浄運転時において、洗浄室１７内に噴射された洗浄水、すすぎ水はタンクフィルタ４１を通って洗浄タンク１１に戻され、食器に付着していた残菜等は、このタンクフィルタ４１に回収される。
【００１７】
この洗浄タンク１１に回収された洗浄水の水位が、所定水位を超えると、図示を省略したオーバーフロー管を経て、所定水位を超えた分の洗浄水が排水される。洗浄タンク１１を空にする場合、図示を省略したバルブを開いて、洗浄タンク１１に接続された排水管５３から排水される。
【００１８】
この実施形態では、図２、及び図３に示すように、上部に食器の洗浄室１７を備え、下部に機械室１０を備え、この機械室１０のベース５５の下部には脚部５６を備えて構成されている。
【００１９】
機械室１０には、すすぎ水タンク１３及び洗浄水タンク１１が設けられ、すすぎ水タンク１３への給水管５１の接続口５１ａ、及び洗浄水タンク１１からの排水管５３の接続口５３ａは、機械室１０のベース５５よりも上方に配設されている。これら給水管５１の接続口５１ａ、及び排水管５３の接続口５３ａに接続される給水管５１及び排水管５３は、食器の両投入方向、すなわち図３の矢印Ａで示す両方向のいずれにも導出可能に構成されている。
【００２０】
この実施形態では、給水管接続口５１ａ及び排水管接続口５３ａを機械室１０のベース５５の上部に配設したので、それぞれの位置が、従来のものに比べて高くなり、配管の接続作業が容易になる。
【００２１】
また、機械室１０のベース５５の下部に余分な配管類が突出しないので、床の清掃が容易になる、等の効果が得られる。
【００２２】
更に、給水管接続口５１ａ及び排水管接続口５３ａに接続される給水管５１及び排水管５３を、図３の矢印Ａで示す両方向のいずれにも導出可能に構成されるので、図２に示すように、給水管５１及び排水管５３の導出方向に、調理場の壁面等が位置することはなく、食器洗浄機１を調理場の壁面に接触させて配置したとしても、配管類を容易に配管接続することができる。
【００２３】
以上、一実施形態に基づいて本発明を説明したが、本発明はこれに限定されるものでないことは明らかである。
【００２４】
【発明の効果】
本発明では、すすぎ水タンク及び洗浄水タンクの底部と機械室のベースとの間に、すすぎ水タンクへの給水管接続口及び洗浄水タンクからの排水管接続口を配設したので、それぞれの位置が、従来のものに比べて高くなり、配管の接続作業が容易になると共に、機械室のベース下部に余分な配管類が突出しないので、床の清掃が容易になる等の効果が得られる。
【図面の簡単な説明】
【図１】本発明による食器洗浄機の一部断面図である。
【図２】食器洗浄機の側面図である。
【図３】食器洗浄機の正面図である。
【図４】別の実施形態を示す食器洗浄機の正面図である。
【図５】別の実施形態を示す食器洗浄機の側面図である。
【符号の説明】
１  食器洗浄機
７、７Ａ、７Ｂ  開閉扉
１０  機械室
１１  洗浄水タンク
１２  洗浄水ポンプ
１３  すすぎ水タンク
１４  すすぎ水ポンプ
１７  洗浄室
５１  給水管
５１ａ  接続口
５３  排水管
５３ａ  接続口
５５  ベース
５６  脚部
【図１】
0004208327.tif 000002
【図２】
0004208327.tif 000003
【図３】
0004208327.tif 000004
【図４】
0004208327.tif 000005
【図５】
0004208327.tif 000006